(57)【要約】【課題】便器を取り外すことなく生体情報測定部のメンテナンスを行うことができる生体情報測定便器を提供する。【解決手段】生体情報測定便器１０は、ボール１６と下水配管とを連通する排出経路２６を有する便器部１１ｘと、ボール１６に排泄された尿に関する生体情報を測定するための生体情報測定部１２と、生体情報測定部１２を機能させるため便器部１１ｘと生体情報測定部１２とを接続する信号経路Ｓ１，Ｓ２および流体経路Ｒ１，Ｒ２，Ｒ３とを備え、これらの信号経路Ｓ１，Ｓ２および流体経路Ｒ１，Ｒ２，Ｒ３にそれぞれ接合分離可能な着脱手段ＳＢ１，ＳＢ２，ＲＢ１，ＲＢ２，ＲＢ３を設けている。生体情報測定部１２は空洞部６内に配置され、着脱手段ＲＢ１，ＲＢ２，ＲＢ３が分離すると、流体経路Ｒ１，Ｒ２，Ｒ３を自動的に閉止する開閉手段Ｖ１，Ｖ２，Ｖ３を設けている。【選択図】図３
2007285007.tif 000002
【特許請求の範囲】
【請求項１】
使用者の尿を受けるボールと、
ボール内の収容物を下水配管へ排出するため前記ボールと前記下水配管とを連通する排出経路とを有する便器部と、
前記ボールに排泄された尿に関する生体情報を測定するための生体情報測定部と、
前記生体情報測定部を機能させるため前記便器部と前記生体情報測定部とを接続する信号経路および流体経路と、
を備えた生体情報測定便器において、
前記信号経路および前記流体経路に、接合分離可能な着脱手段を設けたことを特徴とする生体情報測定便器。
【請求項２】
前記生体情報測定部を、前記便器部を構成する隔壁材で囲まれた空洞部内に配置し、前記生体情報測定部を前記空洞部内に出し入れするための開口部を前記隔壁材に設けたことを特徴とする請求項１記載の生体情報測定便器。
【請求項３】
前記生体情報測定部を、当該生体情報測定部とともに前記空洞部内に出し入れ可能な筐体内に収納したことを特徴とする請求項２記載の生体情報測定便器。
【請求項４】
前記生体情報測定部を、前記便器部の外部に設けられたキャビネット内に配置し、
前記生体情報測定部を前記キャビネット内に出し入れするための開口部を前記キャビネットに設けたことを特徴とする請求項１記載の生体情報測定便器。
【請求項５】
前記流体経路を閉止する開閉手段を、前記着脱手段より前記便器部側の前記流体経路に設けたことを特徴とする請求項１〜４のいずれかに記載の生体情報測定便器。
【請求項６】
前記開閉手段が、前記生体情報測定部と前記便器部とを分離すると前記流体経路を自動的に閉止することを特徴とする請求項５に記載の生体情報測定便器。
【発明の詳細な説明】
【技術分野】
【０００１】
本発明は、洋風便器を利用して被験者の排尿量や尿量率などの各種生体情報を測定することのできる生体情報測定便器に関する。
【背景技術】
【０００２】
従来の生体情報測定便器として、洋風便器のボールと下水配管との間に形成されたトラップ中の溜水の封水深を変更可能とし、ボールへ排泄された尿による溜水の重量や水位の変化を検知することによって尿量などの生体情報を測定するものがある（例えば、特許文献１参照。）。
【０００３】
一方、生体情報測定手段は具備していないが、弁や弁駆動装置などを有する可動式のトラップ機構を洋風便器の上面側からメンテナンスすることができるようにしたものがある（例えば、特許文献２参照。）。
【０００４】
【特許文献１】特開平８−２９９３４８号公報
【特許文献２】特開平８−１９３３４７号公報
【発明の開示】
【発明が解決しようとする課題】
【０００５】
特許文献１記載の排泄量測定装置においては、洋風便器の内部に組み込まれているトラップ部分に生体情報測定機能部が設けられているため、生体情報測定機能部の修理やメンテナンスが必要となった場合、洋風便器を取り外さなければならない。従って、現場での修理が不可能で持ち帰り修理が必要となり、トラップ部分を取り外さなければならない場合、便器としての機能が維持できなくなる。このため、使用者の日常生活（生理活動）に著しい支障が生じることがある。また、トラップ中の水封が無くなることによって、下水配管からの異臭や有害昆虫などがトイレ内へ侵入して、不衛生となることもある。
【０００６】
また、特許文献２記載の水洗便器においても、可動式のトラップ機構の現場修理が不可能で持ち帰り修理となった場合、トラップ機構を取り外す必要があるため、便器としての機能が維持できなくなる。このため、前述と同様、使用者の日常生活（生理活動）に著しい支障が生じたり、下水配管からの異臭や有害昆虫などがトイレ内へ侵入したりすることがある。
【０００７】
本発明が解決しようとする課題は、便器を取り外すことなく衛生的に生体情報測定部のメンテナンスを行うことができる生体情報測定便器を提供することにある。
【課題を解決するための手段】
【０００８】
本発明の生体情報測定便器は、
使用者の尿を受けるボールと、
ボール内の収容物を下水配管へ排出するため前記ボールと前記下水配管とを連通する排出経路とを有する便器部と、
前記ボールに排泄された尿に関する生体情報を測定するための生体情報測定部と、
前記生体情報測定部を機能させるため前記便器部と前記生体情報測定部とを接続する信号経路および流体経路と、
を備えた生体情報測定便器において、
前記信号経路および前記流体経路に、接合分離可能な着脱手段を設けたことを特徴とする。
【０００９】
このような構成とすれば、着脱手段を接合、分離することにより、信号経路および流体経路が接合、分離されるため、生体情報測定部を便器部に接続したり、便器部から離脱させたりすることが可能となる。このため、便器を取り外すことなく、生体情報測定部のみを分離して、メンテナンスを行うことができる。
【００１０】
ここで、前記生体情報測定部を、前記便器部を構成する隔壁材で囲まれた空洞部内に配置し、前記生体情報測定部を前記空洞部内に出し入れするための開口部を前記隔壁材に設けることができる。このような構成とすれば、生体情報測定部を便器内に配置しても開口部から取り出すことが可能となるため、メンテナンス時の作業が容易となり作業性が向上する。
【００１１】
この場合、前記生体情報測定部を、当該生体情報測定部とともに前記空洞部内に出し入れ可能な筐体内に収納すれば、生体情報測定部は筐体と一体化されたユニット体となるため、便器部の空洞部内への出し入れや持ち運びが容易となる。
【００１２】
一方、前記生体情報測定部を、前記便器部の外部に設けられたキャビネット内に配置し、前記生体情報測定部を前記キャビネット内に出し入れするための開口部を前記キャビネットに設けることもできる。このような構成とすれば生体情報測定部の取り付け作業および取り外し作業も開口部を介して容易となるため、施工時やメンテナンス時の作業性が向上する。
【００１３】
また、前記流体経路を閉止する開閉手段を、前記着脱手段より前記便器部側の前記流体経路に設ければ、生体情報測定部を取り外すとき、便器側の流体経路を閉止することができるため、生体情報測定部を取り外しても接続部からの漏水の発生がない。また、下水排管がトイレと連通することが無いために悪臭や有害昆虫がトイレ内に侵入することも無く、生体情報測定部を取り外した状態でも便器部の機能を維持することができる。
【００１４】
さらに、前記開閉手段が、前記生体情報測定部と前記便器部とを分離すると前記流体経路を自動的に閉止する構成とすれば、生体情報測定部を取り外したとき、流体経路が自動的に閉止されるため、作業者の作業が簡単となるとともに、開閉手段を閉止し忘れる人的ミスの発生も防止することができる。
【発明の効果】
【００１５】
本発明により、便器を取り外すことなく、衛生的に生体情報測定部のメンテナンスを行うことができる生体情報測定便器を提供することができる。
【発明を実施するための最良の形態】
【００１６】
以下、図面に基づいて、本発明の実施の形態を、生体情報として被験者の排尿量等の排尿情報を測定する生体情報測定便器を例に挙げて説明する。図１は本発明の第一実施形態である生体情報測定便器を示す斜視図、図２は図１に示す生体情報測定便器のシステムブロック図、図３は図１に示す生体情報測定便器の一部省略垂直断面図である。
【００１７】
図１，図２に示すように、本実施形態の生体情報測定便器１０は、使用者の排泄物を受けて下水管へ排出する洋風便器１１と、生体情報測定部１２と、制御部１３と、洋風便器１１の側方壁面に配置された操作・表示部２０と、を備えている。洋風便器１１は、使用者が着座する便座１５と、ボール１６および便座１５を開閉可能に覆う便蓋１７と、を備えている。操作・表示部２０は、洋風便器１１に設けられた衛生洗浄装置２３を操作するためのリモコン１９と、生体情報測定便器１０を機能させるためのリモコン２１と、生体情報測定結果を印刷するプリンタ２２と、を備えている。
【００１８】
図２，図３に示すように、洋風便器１１は、使用者の尿を受けるボール１６と、ボール１６に連接され下水配管を水封する溜水Ｗ１を貯留するトラップ２５と、便器洗浄水をボール１６に供給する便器給水手段２４とを備えている。また、便器給水手段２４には、リム吐水ノズル２４ａに給水するリム吐水手段２４ｃと、ゼット吐水ノズル２４ｂに給水するゼット吐水手段２４ｄと、リム吐水手段２４ｃとゼット吐水手段２４ｄとを制御する制御部１３が設けられている。また、ボール１６には生体情報測定開始前の溜水水位Ｗ１Ｌを予め定められた位置に設定するための採水口８が設けられている。また、トラップ２５は下水配管に接続された排水ソケット９に接続されて排水経路２６を形成している。
【００１９】
生体情報測定部１２は制御部１２ａと機能部１２ｂとを備え、制御部１２ａには連携制御手段２７と生体情報算出手段３６とが設けられている。ここで、連携制御手段２７は、衛生洗浄装置２３の局部洗浄動作等の動作や、洋風便器１１の便器洗浄動作と連携して動作するために必要な情報を授受する。また、生体情報算出手段３６は、使用者がボール１６内に排泄した尿の排尿量や尿量率などの各種生体情報を算出して操作・表示部２０に表示する。
【００２０】
機能部１２ｂには異物検知手段２８、異物除去手段２９、測定容器３０、水位測定手段３１、排水手段３２および給水手段３３が設けられている。生体情報測定部１２と、洋風便器１１および操作・表示部２０とはそれぞれ信号経路Ｓ１，Ｓ２で接続されている。また、市水を導入する分岐金具３４と生体情報測定部１２とは流体経路Ｒ１で接続され、洋風便器１１のトラップ２５内と生体情報測定部１２の異物検出手段２８とは流体経路Ｒ３で連通され、トラップ２５の下流側の排水経路２６を形成する排水ソケット９内と生体情報測定部１２の排水手段３２とは流体経路Ｒ２で連通されている。
【００２１】
ここで、本実施形態の生体情報測定便器１０の動作について説明する。生体情報測定便器１０において、生体情報である排尿量等の排尿情報を測定するためには、排泄された尿による溜水Ｗ１の増量で、トラップ２５から下水配管へ溜水Ｗ１が溢流して流失されるのを防止する必要がある。このため、測定に際しては事前に溜水水位Ｗ１Ｌを溢流水位Ｈ以下の所定の水位に形成する。そこで、本実施形態の洋風便器１１では、流体経路Ｒ３に設置されている開閉手段Ｖ３を開放する所定の水位形成動作により、この採水口８よりも上位にある溜水Ｗ１は流体経路Ｒ３を通過して生体情報測定部１２へ流入し、異物検知手段２８、異物除去手段２９、測定容器３０および排水手段３２を経由し、流体経路Ｒ２を通過して排水ソケット９の排出口７から排水ソケット９内へ排出される。これにより、測定開始直前の溜水水位Ｗ１Ｌは、トラップ２５の溢流水位Ｈより低い、採水口８の位置に形成される。
【００２２】
次に、本実施形態の測定動作について説明する。前述したように、溜水Ｗ１の水位が所定水位に低下された状態で、使用者がボール１６内へ排尿すると溜水水位Ｗ１Ｌが上昇し、その上昇分に相当する溜水Ｗ１が採水口８から流体経路Ｒ３を経由して生体情報測定部１２へ流入し、異物検知手段２８および異物除去手段２９を経て測定容器３０内へ貯留される。そこで、この測定容器３０内に貯留された水の水位が水位測定手段３１で計測され、その計測値と予め設定された検量線とに基づいて生体情報算出手段３６が排尿量や尿量率などの生体情報を算出し、その測定値が操作・表示部２０のリモコン２１に表示される。このとき、所定の操作を行えば、測定値が印字された紙片がプリンタ２２から出力される。
【００２３】
この後、リモコン２１で洗浄操作を行えば、リム吐水ノズル２４ａおよびゼット吐水ノズル２４ｂからボール１６内へ洗浄水が供給され、通常通りの洗浄が行われた後、前述の過程を経て、溜水水位Ｗ１Ｌが測定開始水位に設定され、待機状態となる。このように、生体情報測定便器１０は、洋風便器１１に通常通り排尿することにより、排尿量や尿量率などの生体情報を測定することができる。
【００２４】
図２に示すように、生体情報測定便器１０においては、使用者の尿を受けるボール１６を有する洋風便器１１と、洋風便器１１と下水配管とを連通する排水ソケット９とで便器部１１ｘを構成する。そして、便器部１１ｘと生体情報測定部１２とを接続する信号経路Ｓ１，Ｓ２および流体経路Ｒ１，Ｒ２，Ｒ３とを備えている。これらの信号経路Ｓ１，Ｓ２および流体経路Ｒ１，Ｒ２，Ｒ３には、それぞれ接合分離可能な着脱手段ＳＢ１，ＳＢ２，ＲＢ１，ＲＢ２，ＲＢ３を設けている。
【００２５】
また、図３に示すように、生体情報測定部１２を、便器部１１ｘを構成する隔壁材１１ａで囲まれた空洞部６内に配置し、生体情報測定部１２を空洞部６内に出し入れするための開口部５を隔壁材１１ａに開設している。また、測定容器３０にはドレン３０ａが設けられており、メンテナンスのために生体情報測定部１２を移送するときには水抜きを行うことができるようになっている。このため、測定容器３０内の残水のこぼれによって、電装部材の動作信頼性が低下したり、梱包部材の強度が低下して物流破損につながったりするトラブルの発生を防止することができる。
【００２６】
また、これらの着脱手段ＳＢ１，ＳＢ２，ＲＢ１，ＲＢ２，ＲＢ３を接合、分離することにより、信号経路Ｓ１，Ｓ２および流体経路Ｒ１，Ｒ２，Ｒ３を接合、分離することができる。即ち、着脱手段ＳＢ１，ＳＢ２，ＲＢ１，ＲＢ２，ＲＢ３を接合、分離することにより、生体情報測定部１２を便器部１１ｘに接続したり、便器部１１ｘから分離させたりすることができる。従って、洋風便器１１から衛生洗浄装置２３などを取り外して開口部５を露出させれば、洋風便器１１を取り外すことなく、生体情報測定部１２の修理やメンテナンスを行うことができる。また、生体情報測定部１２を空洞部６内に配置したことにより、生体情報測定部１２を配置するためのスペースを洋風便器１１の外に設ける必要がなくなるので、狭いトイレなどに好適である。
【００２７】
また、生体情報測定便器１０においては、着脱手段ＲＢ１，ＲＢ２，ＲＢ３が分離すると、流体経路Ｒ１，Ｒ２，Ｒ３を自動的に閉止する開閉手段Ｖ１，Ｖ２，Ｖ３を設けている。従って、生体情報測定部１２を取り外したとき、流体経路Ｒ１，Ｒ２，Ｒ３が自動的に閉止される結果、これらの流体経路Ｒ１，Ｒ２，Ｒ３を介して便器部１１ｘが大気中と連通することがなくなるため、漏水したり、異臭が侵入したりすることがない。
【００２８】
さらに、前述したように、生体情報測定部１２を制御する制御部１２ａ、洋風便器１１の便器給水手段２４を制御する制御部１３は、各々連携制御手段２７，１３ａを有しているが、メンテナンスのために生体情報測定部１２を便器部１１ｘから分離した場合、洋風便器１１の制御部１３には生体情報測定部１２からの状態報知信号が伝達されない状態となる。その場合、制御部１３はその状態を検知して、洋風便器１１に対してボール１６の洗浄、溜水Ｗ１の排出と溜水の形成を実施可能として便器としての機能を優先するようになっている。
【００２９】
次に、図４，図５に基づいて、本発明の第二実施形態について説明する。図４は本発明の第二実施形態である生体情報測定便器を示す一部省略垂直断面図、図５は図４に示す生体情報測定便器の一部を変更した生体情報測定便器の一部省略垂直断面図である。なお、図４，図５において図１〜図３に示す符号と同符号を付している部分は生体情報測定便器１０の構成部分と同じ機能、効果を発揮する部分であり、説明を省略する。
【００３０】
図４に示すように、本実施形態の生体情報測定便器４０においては、流体経路Ｒ３の採水口８ａをボール１６の上方から溜水Ｗ１の水面に臨ませ、採水口８ａからボール１６内の溜水Ｗ１を吸い込むためのポンプＰを生体情報測定部１２内に配置している。通常の便器洗浄終了後、ポンプＰを作動させると、溢流水位Ｈにある溜水Ｗ１は、異物検知手段２８，異物除去手段２９，測定容器３０などを経由して排出口７から排水ソケット９内へ排出され、溜水水位Ｗ１Ｌは採水口８ａの位置まで下がり、その位置に設定される。この溜水水位Ｗ１Ｌが測定開始水位となる。
【００３１】
使用者がボール１６内へ排尿すると溜水水位Ｗ１Ｌが上昇するので、ポンプＰを作動させて採水口８ａからその上昇分を吸い込むと、吸い込まれた水は流体経路Ｒ３を経由して生体情報測定部１２へ流入し、異物検知手段２８および異物除去手段２９を経て測定容器３０内へ貯留される。そこで、この測定容器３０内に貯留された水の水位が水位測定手段３１で計測され、その計測値と予め設定された検量線とに基づいて生体情報算出手段３６が排尿量や尿量率などの生体情報を算出される。その他の部分の構造、機能は生体情報測定便器１０と同じである。
【００３２】
次に、図５に示す生体情報測定便器４１においては、生体情報測定部１２を、開口部５を経て空洞部６へ出し入れ可能な筐体４２内に収納するとともに、着脱手段ＲＢ１，ＲＢ２，ＲＢ３を筐体４２の下面側に設けている。従って、露出させた開口部５から手を空洞部６内へ差し込み、筐体４２上部の取っ手４２ａを掴んで略垂直に引き上げれば、着脱手段ＲＢ１，ＲＢ２，ＲＢ３が分離されると同時に、開閉手段Ｖ１，Ｖ２，Ｖ３が自動閉止されるため、筐体４２に収納された状態で生体情報測定部１２を便器部１１ｘから取り外すことができる。また、前述の手順と逆に、取っ手４２ａを掴んで垂下させた筐体４２を開口部５から空洞部６内へ組み込めば、着脱手段ＲＢ１，ＲＢ２，ＲＢ３が接合されると同時に、開閉手段Ｖ１，Ｖ２，Ｖ３が自動的に開放される。
【００３３】
このように、筐体４２上部の取っ手４２ａを掴んで引き上げたり、下ろしたりすることによって、筐体４２に収納された生体情報測定部１２を便器部１１ｘから取り外したり、組み込んだりすることができるため、メンテナンス性が良好である。なお、本実施形態の生体情報測定便器４１においては、着脱手段ＲＢ１，ＲＢ２，ＲＢ３を分散して配置しているが、接合時の位置合わせを容易化するため、これらの着脱手段ＲＢ１，ＲＢ２，ＲＢ３を一カ所に集約して配置することもできる。その他の部分の構造、機能は生体情報測定便器１０，４０と同じである。
【００３４】
次に、図６，図７，図８に基づいて、本発明の第三、四実施形態について説明する。図６は本発明の第三実施形態である生体情報測定便器を示す斜視図、図７は本発明の第四実施形態である生体情報測定便器を示す斜視図、図８は図６，図７に示す生体情報測定便器の構成を示すシステムブロック図である。なお、図６，図７，図８において図１〜図５に示す符号と同符号を付している部分は生体情報測定便器１０，４０，４１の構成部分と同じ機能、効果を発揮する部分であり、説明を省略する。
【００３５】
図６に示す生体情報測定便器５０は、洋風便器１１と、生体情報測定部１２および制御部１３などが内蔵されたキャビネット１４と、洋風便器１１の側方背面に配置された操作・表示部２０と、を備えている。洋風便器１１は、使用者が着座する便座１５と、ボール１６および便座１５を開閉可能に覆う便蓋１７と、採尿器１８ａおよび採尿アーム１８ｂを有する採尿ユニット１８と、衛生洗浄装置２３と、を備えている。操作・表示部２０には、衛生洗浄装置２３を操作するためのリモコン１９と、生体情報測定部１２を操作するためのリモコン２１と、生体情報測定結果を印刷するためのプリンタ２２と、が設けられている。
【００３６】
生体情報測定便器５０においては、生体情報測定部１２は、便器部１１ｘの外部である背面側に設けられたキャビネット１４内に配置され、生体情報測定部１２をキャビネット１４に出し入れするための開口部１４ｂがキャビネット１４の正面の下方隅部に開設され、開口部１４ｂには開閉扉１４ａが設けられている。従って、便器部１１ｘに改変を加えることなく生体情報測定部１２を便器部１１ｘに接続することができる。また、便器部１１ｘの制約を受けることなく生体情報測定部１２を配置することができるため設計上の自由度が高く、生体情報測定部１２の取り付け作業および取り外し作業も容易である。
【００３７】
図８に示すように、生体情報測定便器５０においては、ゼット吐水手段２４ｄからゼット吐水ノズル２４ｂに向かう給水経路の途中に分岐部５５が設けられ、この分岐部５５と生体情報測定部１２との間に流体経路Ｒ３が設けられている。流体経路Ｒ３は、その途中に開閉手段Ｖ３が設けられ、着脱手段ＲＢ３を介して生体情報測定部１２と接続され、異物除去手段２９を経て水位形成手段５１と溜水水位測定手段５２に分岐配管されている。
【００３８】
生体情報測定便器５０の場合、排泄後の洗浄操作により空になったボール１６に対し、水位形成手段５１に設けられた補水手段５１ａから流体経路Ｒ３およびゼット吐水ノズル２４ｂを経由して一定量の水を供給することにより、測定開始直前の水位として、溢流水位より低い溜水水位Ｗ１Ｌが設定される。そして、ボール１６内への排尿による溜水水位Ｗ１Ｌの増加量を流体経路Ｒ３と連通する溜水水位測定手段５２の水位センサ５３で計測し、その計測データに基づき、生体情報算出手段３６が尿量や尿流率などの生体情報を算出する。また、溜水水位測定手段５２には、水位センサ５３を校正するための校正手段５４が設けられている。
【００３９】
このように、生体情報測定便器５０は一定量の水をボール１６内へ供給して測定開始水位を設定する方式であるため、一定量の水を排出して測定開始水位を設定する生体情報測定便器１０と異なり、排水ソケット９内と生体情報測定部１２とを連通する排水経路（流体経路Ｒ２）が設けられていない。このため、生体情報測定便器５０においては、生体情報測定部１２と便器部１１ｘとは、着脱手段ＳＢ１，ＳＢ２，ＲＢ１，ＲＢ３を用いて接続され、着脱手段ＲＢ１，ＲＢ３が分離すると流体経路Ｒ１，Ｒ３を自動的に閉止する開閉手段Ｖ１，Ｖ３が設けられている。従って、生体情報測定部１２を取り外したとき、流体経路Ｒ１，Ｒ３が自動的に閉止される結果、これらの流体経路Ｒ１，Ｒ３を介して便器部１１ｘが大気中と連通することがないため、漏水したり、異臭が侵入したりすることがない。その他の部分の構造、機能は生体情報測定便器１０，４０，４１と同じである。
【００４０】
次に、図７に示す生体情報測定便器６０においては、洋風便器１１の背面部に設けられたキャビネット１４内に生体情報測定部１２が配置され、生体情報測定部１２をキャビネット１４に出し入れするための開口部１４ｄがキャビネット１４の側面の下方に開設され、開口部１４ｄには開閉扉１４ｃが設けられている。従って、前述と同様、便器部１１ｘに改変を加えることなく生体情報測定部１２を便器部１１ｘに接続することができる。また、便器部１１ｘの制約を受けることなく生体情報測定部１２を配置することができるため設計上の自由度が高く、生体情報測定部１２の取り付け作業および取り外し作業も容易である。さらに、開閉扉１４ｃ付きの開口部１４ｄをキャビネット１４の側面下方に設けたことにより、キャビネット１４の左右両側部を洋風便器１１の両側部より広く突出させる必要がなくなるため、キャビネット１４の左右方向のサイズをコンパクト化することができる。その他の部分の構造、機能は、前述した生体情報測定便器５０と同様である。
【産業上の利用可能性】
【００４１】
本発明の生体情報測定便器は、尿量や尿量率などの生体情報測定を必要とする病院のトイレや一般家庭のトイレなどにおいて広く利用することができる。
【図面の簡単な説明】
【００４２】
【図１】本発明の第一実施形態である生体情報測定便器を示す斜視図である。
【図２】図１に示す生体情報測定便器の全体構成を示すシステムブロック図である。
【図３】図１に示す生体情報測定便器の一部省略垂直断面図である。
【図４】本発明の第二実施形態である生体情報測定便器を示す一部省略垂直断面図である。
【図５】図４に示す生体情報測定便器の一部を変更した生体情報測定便器の一部省略垂直断面図である。
【図６】本発明の第三実施形態である生体情報測定便器を示す斜視図である。
【図７】本発明の第四実施形態である生体情報測定便器を示す斜視図である。
【図８】図６および図７に示す生体情報測定便器の全体構成を示すシステムブロック図である。
【符号の説明】
【００４３】
５，１４ｂ，１４ｄ  開口部
６  空洞部
７  排出口
８，８ａ  採水口
９  排水ソケット
１０，４０，４１，５０，６０  生体情報測定便器
１１  洋風便器
１１ａ  隔壁材
１１ｘ  便器部
１２  生体情報測定部
１２ａ  制御部
１２ｂ  機能部
１３  制御部
１３ａ  連携制御手段
１４  キャビネット
１４ａ，１４ｃ  開閉扉
１５  便座
１６  ボール
１７  便蓋
１８  採尿ユニット
１８ａ  採尿器
１８ｂ  採尿アーム
２０  操作・表示部
１９，２１  リモコン
２２  プリンタ
２３  衛生洗浄装置
２４  便器給水手段
２４ａ  リム吐水ノズル
２４ｂ  ゼット吐水ノズル
２４ｃ  リム吐水手段
２４ｄ  ゼット吐水手段
２５  トラップ
２６  排水経路
２７  連携制御手段
２８  異物検知手段
２９  異物除去手段
３０  測定容器
３０ａ  ドレン
３１  水位測定手段
３２  排水手段
３３  給水手段
３４  分岐金具
４２  筐体
４２ａ  取っ手
３６  生体情報算出手段
５１  水位形成手段
５１ａ  補水手段
５２  溜水水位測定手段
５３  水位センサ
５４  校正手段
５５  分岐部
Ｈ  溢流水位
Ｐ  ポンプ
Ｒ１，Ｒ２，Ｒ３  流体経路
Ｓ１，Ｓ２  信号経路
ＳＢ１，ＳＢ２，ＲＢ１，ＲＢ２，ＲＢ３  着脱手段
Ｖ１，Ｖ２，Ｖ３  開閉手段
Ｗ１  溜水
Ｗ１Ｌ  溜水水位
【図１】
2007285007.tif 000003
【図２】
2007285007.tif 000004
【図３】
2007285007.tif 000005
【図４】
2007285007.tif 000006
【図５】
2007285007.tif 000007
【図６】
2007285007.tif 000008
【図７】
2007285007.tif 000009
【図８】
2007285007.tif 000010